(57)【特許請求の範囲】
【請求項１】
個別の論理アドレスが割り当てられた複数の照明器具と、各々の前記照明器具に割り当てられた前記論理アドレスを用いて所望の前記照明器具を制御するコントローラとを備え、
前記コントローラは、前記照明器具の前記論理アドレスを記憶する記憶部と、前記照明器具に前記論理アドレスを要求する要求信号を含む伝送信号を送信し、前記照明器具から送信される返送信号を受信する送受信部を有し、
各々の前記照明器具は、前記要求信号を受信してから、自機に割り当てられた前記論理アドレスに対応した待機時間が経過した後、前記返送信号を送信し、
前記コントローラは、前記返送信号の受信時間に基づいて前記論理アドレスを取得して前記記憶部に記憶させることを特徴とする照明制御システム。
【請求項２】
前記コントローラは、前記照明器具からの返送信号を受信すると、当該返送信号に含まれる論理アドレスと前記照明器具を点灯させる制御命令とを含む伝送信号を前記照明器具に送信することを特徴とする請求項１記載の照明制御システム。
【発明の詳細な説明】
【技術分野】
【０００１】
本発明は、照明制御システムに関するものである。
【背景技術】
【０００２】
従来より、それぞれ個別の論理アドレスを割り当てられた複数の照明器具と、複数の照明器具と伝送線を介して接続されたコントローラからなる照明制御システムがあり、タイムスケジュール、スイッチ操作、センサ入力などに応じて、コントローラが制御対象となる照明器具の論理アドレスを含む伝送信号を送信することで、その論理アドレスが割り当てられた照明器具の点灯・消灯・調光レベルの変更といった制御が行われる。
【０００３】
この種の照明制御システムにおいては、各照明器具に割り当てられた論理アドレスをコントローラに予め設定しておく必要があり、例えば、照明器具に論理アドレスを明記したシールを貼るなどして照明器具の論理アドレスを施工者が把握できるようにし、論理アドレスと施工場所との関係が図示された施工図面に基づいて施工者が照明器具を配設した後、コントローラにリモコン等を用いて各照明器具の論理アドレスを設定するといった方法が考えられる。
【０００４】
このようにすれば、各照明器具はコントローラからの伝送信号が受信できれば良いので、比較的安価なＣＰＵを用いることが可能であるが、照明器具に割り当てられた論理アドレスの管理、論理アドレスを明記したシールなどの貼り付けなどの管理コストや、施工図面の作成及び施工時論理アドレスの確認に手間がかかっていた。
【０００５】
そこで、論理アドレスをコントローラに予め設定する方法として、例えば特許文献１に記載されているように、コントローラが各照明器具に対して論理アドレスを要求する要求信号を出力し、各照明器具が要求信号に応じて自身の論理アドレスをコントローラに送信することで、コントローラに全ての照明器具の論理アドレスを設定する方法が提案されている。この方法を用いることで、施工者はコントローラのみをリモコンにより操作すれば良く、施工にかかる手間が大幅に低減される。
【先行技術文献】
【特許文献】
【０００６】
【特許文献１】特開平７−４６２５８号公報
【発明の概要】
【発明が解決しようとする課題】
【０００７】
しかしながら、コントローラの要求信号に応じて全ての照明器具が一斉に論理アドレスを送信すると、通信ライン上で論理アドレスを含む信号が壊れたり、信号の波形が変形して、コントローラが誤った論理アドレスを取得するという可能性があった。
【０００８】
この問題を回避する方法として、各照明器具がキャリアセンスを実行して論理アドレスを送信する方法が考えられるが、キャリアセンスを実行するためには、各照明器具に高価なＣＰＵを搭載する必要があり、製造コストが高くなるという問題があった。
【０００９】
また、他の回避方法として、各照明器具にリモコン受信部を設け、リモコンからの操作信号に応じて論理アドレスを送信する方法も考えられるが、全ての照明器具にリモコン受信部を設けると製造コストが高くなるとともに、施工者が全ての照明器具に対してリモコンにより操作する必要があるため、照明制御システムの規模が大きく、照明器具の数が多くなると、施工にかかる手間が非常に大きくなってしまうという問題もあった。
【００１０】
本発明は、上記事由に鑑みて為されたものであり、その目的とするところは、論理アドレスをコントローラに設定する際の手間や時間を低減した、低コストの照明制御システムを提供することにある。
【課題を解決するための手段】
【００１１】
上記目的を達成するために、請求項１の発明では、個別の論理アドレスが割り当てられた複数の照明器具と、各々の前記照明器具に割り当てられた前記論理アドレスを用いて所望の前記照明器具を制御するコントローラとを備え、前記コントローラは、前記照明器具の前記論理アドレスを記憶する記憶部と、前記照明器具に前記論理アドレスを要求する要求信号を含む伝送信号を送信し、前記照明器具から送信される返送信号を受信する送受信部を有し、各々の前記照明器具は、前記要求信号を受信してから、自機に割り当てられた前記論理アドレスに対応した待機時間が経過した後、前記返送信号を送信し、前記コントローラは、前記返送信号の受信時間に基づいて前記論理アドレスを取得して前記記憶部に記憶させることを特徴とする。
【００１２】
請求項２の発明では、請求項１記載の発明において、前記コントローラは、前記照明器具からの返送信号を受信すると、当該返信信号に含まれる論理アドレスと前記照明器具を点灯させる制御命令とを含む伝送信号を前記照明器具に送信することを特徴とする。
【発明の効果】
【００１３】
請求項１の発明によれば、要求信号を受信した複数の照明器具は、個別に割り当てられた論理アドレスに基づいた待機時間を経過後、返送信号を送信するので、各照明器具は返送信号を一斉に送信することが無くなり、通信ライン上で返送信号が壊れる可能性を低減できる。また、各照明器具には、リモコン受信部などの特別な装置を設ける必要が無く、低コストな照明制御システムを提供することができる。
【００１４】
請求項２の発明によれば、コントローラが論理アドレスを取得した照明器具を視覚的に確認することが可能となり、また、全ての照明器具が点灯することで、コントローラが論理アドレスの取得を完了したことが確認できる。
【図面の簡単な説明】
【００１５】
【図１】本実施の形態にかかる照明制御システムの構成を示す概略ブロック図である。
【図２】同照明制御システムにおける通信信号の流れを示す概略ブロック図であり、（ａ）はコントローラ１からの伝送信号、（ｂ）は照明器具２からの返送信号の流れを示す。
【図３】同照明制御システムにおけるコントローラ１における返送信号の受信状態を示す概略図である。
【発明を実施するための形態】
【００１６】
以下に本発明の実施の形態を図１〜図３に基づいて説明する。
【００１７】
本実施の形態にかかる照明制御システムは、図１に示すように、個別の論理アドレスが割り当てられた複数台の照明器具２（２ａ…２ｎ）と、各照明器具２の動作を制御するコントローラ１とが、通信線Ｌを介して接続されている。
【００１８】
コントローラ１は、コントローラ１全体の動作を統括的に制御するマイコンからなる制御部１１と、例えば揮発性のＳＲＡＭからなる記憶部１２と、通信線Ｌを介して各照明器具２との間で信号の授受を行う送受信部１３とを備える。
【００１９】
記憶部１２には、制御部１１によって、各照明器具２に割り当てられた論理アドレスが書き込まれ、制御部１１が必要に応じて論理アドレスの読み出しを行う。
【００２０】
送受信部１３は、制御部１１からの制御信号を変調して伝送信号として通信線Ｌに出力するとともに、通信線Ｌを介して入力される伝送信号を復調して制御部１１に出力する。ここで、伝送信号としては、各照明器具２に論理アドレスの返送を要求するアドレス要求命令、各照明器具２の点灯・消灯・調光レベルの変更を行う制御命令などの各種命令がある。
【００２１】
また、コントローラ１は、リモコン及びリモコン受信部などの操作入力部（図示せず）を備えており、その操作入力に応じて、制御部１１が接続された各照明器具２に割り当てられた論理アドレスの取得を開始する。
【００２２】
照明器具２は、照明器具２全体の動作を統括的に制御するマイコンからなる制御部２１と、例えばＥＥＰＲＯＭ（Ｅｌｅｃｔｉｃａｌ  Ｅｒａｓａｂｌｅ  Ｐｒｏｇｒａｍａｎｌｅ  ＲＯＭ）などの不揮発性のメモリからなる記憶部２２と、通信線Ｌを介してコントローラ１との間で信号の授受を行う送受信部２３と、例えばＬＥＤなどからなる光源に点灯電力を出力する点灯回路２４とを備える。
【００２３】
記憶部２２には、照明器具の論理アドレスが予め記憶されており、制御部２１が必要に応じて読み出しを行う。この論理アドレスは、各照明器具２ａ…２ｎの間で重複しない値に設定されている。
【００２４】
送受信部２３は、通信線Ｌを介して受信した伝送信号に含まれる論理アドレスが、自身の論理アドレスを対象としたものであるかを判断し、自身の論理アドレスが対象となっていれば、この伝送信号に含まれる各種命令を制御部２１に出力する。また送受信部２３は、制御部２１が出力する各種情報とともに、自機に割り当てられている論理アドレスを含めて送信を行う。
【００２５】
ここで、本実施の形態にかかる照明器具の初期設定として、コントローラ１が通信線Ｌを介して接続された各照明器具２の論理アドレスを取得する方法について説明を行う。
【００２６】
まず、コントローラ１及び各照明器具２を施工後、使用者はリモコン（図示せず）などを用いて、コントローラ１が各照明器具２の論理アドレスの取得を開始するための制御信号をコントローラ１に送信する。
【００２７】
コントローラ１の制御部１１は、上述の制御信号に応じて、全ての照明器具２を対象とし、各照明器具２の論理アドレスの返送を要求するアドレス要求命令を含む伝送信号Ｓ１を送信する（図２（ａ）を参照）。
【００２８】
各照明器具２は、伝送信号Ｓ１を受信すると、自機に割り当てられた論理アドレスに応じた待機時間が経過した後、自機に割り当てられた論理アドレスを含む返送信号Ｓ２を、コントローラ１に返送する。ここで返送信号Ｓ２を、５ｍｓのパルス波とし、各照明器具２の待機時間を論理アドレスを示す数値×１０ｍｓを待機時間とすることで、コントローラ１は受信した返送信号Ｓ２から、各照明器具２に割り当てられた論理アドレスを取得することができる。
【００２９】
例えば、照明器具２ａ、２ｂ、２ｃ、２ｄに割り当てられた論理アドレスがそれぞれ２３、５１、７、１２２とすると、照明器具２ａ、２ｂ、２ｃ、２ｄの待機時間はそれぞれ２３０ｍｓ、５１０ｍｓ、７ｍｓ、１２２０ｍｓとなる。各照明器具２ａ、２ｂ、２ｃ、２ｄは、それぞれの待機時間だけ待機した後、５ｍｓのパルス波からなる返送信号Ｓ２をコントローラ１に出力する（図２（ｂ）を参照）。
【００３０】
これにより、コントローラ１は、図３のように、アドレス要求命令を含む伝送信号Ｓ１を送信した後（図３のｔ０）、７０ｍｓ、２３０ｍｓ、５１０ｍｓ、１２２０ｍｓで５ｍｓのパルス波からなる返送信号Ｓ２を受信する。コントローラ１は、受信した時間に応じて、論理アドレスが７、２３、５１、１２２の論理アドレスが割り当てられた照明器具２が接続されていることを検知することができ、制御部１１が記憶部１２に７、２３、５１、１２２の値を記憶させる。
【００３１】
その後、例えば、アドレス要求命令を含む伝送信号Ｓ１を送信してから制御部１１に予め設定された所定時間が経過すると、コントローラ１は全ての論理アドレスを取得したものとして論理アドレスの収集を停止し、使用者によるリモコンなどの操作に応じて、各照明器具２の点灯・消灯などの制御を行う。
【００３２】
このようにして、各照明器具２はコントローラ１からのアドレス要求命令を含む伝送信号Ｓ１に応じて、それぞれ異なる待機時間だけ待機後、パルス波からなる返送信号Ｓ２を送信するので、通信線Ｌ上で論理アドレスを含む信号が壊れたり、信号の波形が変形して、コントローラ１が誤った論理アドレスを取得するという可能性を低減することができる。また、個々の照明器具２には、リモコン受信部などの装置を搭載する必要が無く、論理アドレスをコントローラ１に設定する際の手間や時間を低減するとともに、低コストの照明制御システムを提供することができる。
【００３３】
なお、コントローラ１は、伝送信号Ｓ１を送信後、パルス波からなる返送信号Ｓ２を受信する毎に、返送信号Ｓ２の受信時間から求めた論理アドレスを制御対象とし、照明器具２を点灯する点灯制御命令を含む伝送信号を送信するようにしてもよい。このようにすれば、コントローラ１が論理アドレスを取得した照明器具２を視覚的に確認することが可能となり、また、全ての照明器具２が点灯することで、コントローラ１が論理アドレスの取得を完了したことが確認することができる。
【００３４】
また上記のように動作することで、使用者が全ての照明器具２が点灯したことを確認したうえでリモコンを操作することによって、コントローラ１が論理アドレスの収集を停止するようにしてもよい。
【００３５】
なお、本実施の形態においては、返送信号Ｓ２を５ｍｓのパルス波とし、待機時間を論理アドレスの示す数値×１０ｍｓとしているが、前記内容に限定するものではなく、照明制御システムの規模や配線に応じて、適宜設定することができる。
【符号の説明】
【００３６】
１          コントローラ
１１        制御部
１２        記憶部
１３        送受信部
２          照明器具
２１        制御部
２２        記憶部
２３        送受信部
２４        点灯回路
Ｌ          通信線
Ｓ１        伝送信号
Ｓ２        返送信号
【図１】
0005588156.tif 000002
【図２】
0005588156.tif 000003
【図３】
0005588156.tif 000004